【手続補正書】
【提出日】平成15年7月16日(2003.7.16)
【手続補正１】
【補正対象書類名】明細書
【補正対象項目名】特許請求の範囲
【補正方法】変更
【補正の内容】
【特許請求の範囲】
【請求項１】
検査期間中に流体中の汚染物質量を検査する装置において、
検査対象である加圧流体源と、
流体溜まりと、
前記検査期間の当初は閉塞汚染物質が事実上存在せず、前記加圧流体源から流体流が供給されるようになされ、かつ、前記流体流中の汚染物質によって次第に閉塞されるような構成、配置になっている検査通路と、
その容積が最小値と最大値との間で可変であるチャンバを形成する装置とを有し、さらに、
前記チャンバの容積を膨張させるために、前記検査通路を通過した流体を前記チャンバに向かわせるように配置された第一の状態と、前記チャンバの容積を縮小させるために、前記検査通路を通過した流体を前記流体溜まりに向かわせるとともに、前記チャンバ内流体の前記流体溜まりへの流れを許容するように配置された第二の状態とを有する弁と、
前記チャンバを選択的に付勢して縮小させる戻し機構と、
前記チャンバの容積を測定する較正センサと、
前記弁および前記戻し機構を作動させて、前記検査期間中、前記チャンバを周期的に反復して膨張、縮小させる制御器と、
前記検査通路を通過する流体流が前記チャンバを第１容積から第２容積に増加させるために必要な時間を測定するタイマーとを有し、
もって、前記チャンバの各連続周期の間に前記検査通路を通る流れの量を計算できるようになされた流体中の汚染物質量を調べる装置。
【請求項２】
前記流体中の汚染物質の量を、最初の前記周期の間に前記検査通路を通過する流れの量の計算値と、この流量を所定の最小値に減少させるために必要な周期数との関数として決定できるようになっている請求項１に記載された流体中の汚染物質量を調べる装置。
【請求項３】
前記流体中の汚染物質の量を、所定数の周期の最後の周期の間に前記検査通路を通過する流れの量の最後の計算値に対する、最初の周期の間に前記検査通路を通過する流れの量の初めの計算値の比の関数として決定できるようになっている請求項１に記載された流体中の汚染物質量を調べる装置。
【請求項４】
前記当初の流量値が、前記最後の流量値を求めた直後に試験シーケンスを再開することによって求められる請求項３に記載された流体中の汚染物質量を調べる装置。
【請求項５】
前記検査通路が環状横断面を有する請求項１に記載された流体中の汚染物質量を調べる装置。
【請求項６】
前記チャンバを形成する装置が、シリンダに対してシール状態で摺動するように配設されたピストンを有する請求項１に記載された流体中の汚染物質量を調べる装置。
【請求項７】
前記弁がリリーフ弁である請求項１に記載された流体中の汚染物質量を調べる装置。
【請求項８】
前記戻し機構が流体動力式である請求項１に記載された流体中の汚染物質量を調べる装置。
【請求項９】
前記制御器が、前記検査通路を通過する流れの量の関数として周期的に前記チャンバを膨張、縮小させる請求項１に記載された流体中の汚染物質量を調べる装置。
【請求項１０】
前記検査期間の開始前に、前記検査通路から汚染物質が洗浄除去される請求項１に記載された流体中の汚染物質量を調べる装置。
【請求項１１】
当初および最後の流れの量を求めるため前記検査通路を通過した流体を前記チャンバに向かわせるように作動させられ、前記当初の流れの量と前記最後の流れの量の比の関数として前記流体中の汚染物質量が決定できるようになっている請求項４に記載された流体中の汚染物質量を調べる装置。
【請求項１２】
当初の流れの量を求めるため前記流体を前記チャンバに向かわせ、前記流体を前記流体溜まりに所定期間向かわせ、第二の流れの量を求めるためその後再び前記流体を前記チャンバに向かわせるように順次に作動させられ、前記当初の流れの量と前記第二の流れの量の比の関数として前記流体中の汚染物質量が決定されるようになっている請求項１に記載された流体中の汚染物質量を調べる装置。
【請求項１３】
検査期間中に流体中の汚染物質量を検査する方法において、
検査対象である加圧流体源と、
流体溜まりと、
前記検査期間の当初は閉塞汚染物質が事実上存在せず、前記加圧流体源から流体流が供給されるようになされ、かつ、前記流体流中の汚染物質によって次第に閉塞されるような構成、配置になっている検査通路と、
その容積が最小値と最大値との間で可変であるチャンバを形成する装置とを有する装置を使用するとともに、
（ａ）前記検査期間中に、汚染された流体を連続して前記検査通路を通過させる段階と、
（ｂ）前記検査通路を通過する前記流体流を前記チャンバーに向かわせ、前記チャンバーの容積を膨張させる段階と、
（ｃ）第一の流れの測定のために前記チャンバーが膨張する間の、前記チャンバーの容積変化の時間速度を測定する段階と、
（ｄ）前記検査通路を通過する前記流体流を、前記流体溜まりへ再び向かわせる段階と、
（ｅ）前記チャンバーの容積を縮小させる段階と、
（ｆ）前記検査期間中に、前記段階（ｂ）から段階（ｄ）までの段階を少なくとも一回繰返すことにより、前記検査期間中に前記検査通路が次第に閉塞される間の少なくとも一連の流れの測定値を提供する各段階とを含み、
もって、前記流れの測定値の関数として、前記流体中の汚染物質量を決定する流体中の汚染物質量を検査する方法。
【請求項１４】
前記流体中の汚染物質量を、前記検査期間中の二つの流れの測定値の比の関数として決定する請求項１３に記載された流体中の汚染物質量を検査する方法。
【手続補正２】
【補正対象書類名】明細書
【補正対象項目名】０００８
【補正方法】変更
【補正の内容】
【０００８】
【課題を解決するための手段】
本発明は、検査期間中に流体中の汚染物質質量を検査する装置の改良を行なうものであり、この装置は、検査対象である加圧流体源と、流体溜まりと、検査期間の当初は閉塞汚染物質が事実上存在せず、加圧流体源から流体流が供給されるようになされ、かつ、流体流中の汚染物質によって次第に閉塞されるような構成、配置になっている検査通路と、その容積が最小値と最大値との間で可変であるチャンバを形成する装置とを有する。この改良点を広義の概念で言えば、前記チャンバの容積を膨張させるために、検査通路を通過した流体を前記チャンバに向かわせるように配置された第一の状態と、前記チャンバの容積を縮小させるために、検査通路を通過した流体を流体溜まりに向かわせるとともに、前記チャンバ内流体の流体溜まりへの流れを許容するように配置された第二の状態とを有する弁と、前記チャンバを選択的に付勢して縮小させる戻し機構と、前記チャンバの容積を測定する較正センサと、前記弁および戻し機構を作動させて、検査期間中、前記チャンバを周期的に反復して膨張、縮小させる制御器と、検査通路を通過する流体流が前記チャンバを第１容積から第２容積に増加させるために必要な時間を測定するタイマーとを、流体中の汚染物質量を調べる装置に配設し、もって、前記チャンバの各連続周期の間に前記検査通路を通る流れの量を計算できるようにすることである。


【手続補正３】
【補正対象書類名】明細書
【補正対象項目名】０００９
【補正方法】変更
【補正の内容】
【０００９】
流体中の汚染レベルは、最初の周期（サイクル）の間に検査通路を通過する流れの量と、この流量を所定の最小値に減少させるために必要な周期数との関数として定めることができる。検査通路は、弁スプールの対向面と弁装置胴部材（ボデイ）に装着された円筒形ブッシュとの間で形成されるような環状横断面を有することができる。前記チャンバを形成する装置は、シリンダに対してシール状態で摺動するように配設されたピストンを有することができる。前記弁は、リリーフ弁であってよい。戻し機構は、流体動力式であってよく、制御器は、検査通路を通過する流れの量の関数として周期的に前記チャンバを膨張または縮小させることができる。